(57)【要約】      （修正有）【課題】耐久性が向上するとともに、開けやすくでき、閉じた状態の強度を高めることができる止具、及び被着体を提供する。【解決手段】止具３は、表面及び裏面を有する第１基布１２と第１基布１２の表面から突出する第１係止部材群１３とを備える繊維製の第１面ファスナー１１と、第１面ファスナー１１の表面側から視て第１基布１２の領域の一部である第１被包囲領域であって第１係止部材群１３に周囲を包囲された第１被包囲領域に配置される第１永久磁石１４と、第１基布１２より硬い第１硬性部材１５であって第１面ファスナー１１の裏面側から視て第１基布１２及び第１永久磁石１４を互いの裏面に跨る形態で接着する第１硬性部材１５とを含む第１面状部材１と、第１面状部材１と同様な構成の第２面状部材２とを備える。【選択図】図１
0003191214.tif 000002
【実用新案登録請求の範囲】
【請求項１】
表面及び裏面を有する第１基布（１２）と前記第１基布（１２）の表面から突出する第１係止部材群（１３）とを備える繊維製の第１面ファスナー（１１）と、前記第１面ファスナー（１１）の表面側から視て前記第１基布（１２）の領域の一部である第１被包囲領域（１２ａ）であって前記第１係止部材群（１３）に周囲を包囲された前記第１被包囲領域（１２ａ）に配置される第１永久磁石（１４）と、前記第１基布（１２）より硬い第１硬性部材（１５）であって前記第１面ファスナー（１１）の裏面側から視て前記第１基布（１２）及び前記第１永久磁石（１４）を互いの裏面に跨る形態で接着する前記第１硬性部材（１５）と、を含む第１面状部材（１）と、
前記第１係止部材群（１３）に係止可能であって、表面及び裏面を有する第２基布（２２）と前記第２基布（２２）の表面から突出する第２係止部材群（２３）とを備える繊維製の第２面ファスナー（２１）と、前記第１永久磁石（１４）に着脱可能であると共に前記第２面ファスナー（２１）の表面側から視て前記第２基布（２２）の領域の一部である第２被包囲領域（２２ａ）であって前記第２係止部材群（２３）に周囲を包囲された前記第２被包囲領域（２２ａ）に配置される磁性体（２４）と、前記第２基布（２２）より硬い第２硬性部材（２５）であって前記第２面ファスナー（２１）の裏面側から視て前記第２基布（２２）及び前記磁性体（２４）を互いの裏面に跨る形態で接着する前記第２硬性部材（２５）と、を含む第２面状部材（２）とを備えることを特徴とする止具。
【請求項２】
前記第１面状部材（１）と前記第２面状部材（２）は、各自の前記基布（２１，２２）の周縁部よりも内側の範囲にのみ各自の前記硬性部材（１５，２５）を配置してあることを特徴とする請求項１記載の止具。
【請求項３】
前記磁性体（２４）は第２永久磁石であることを特徴とする請求項１又は２記載の止具
【請求項４】
前記第１面状部材（１）と前記第２面状部材（２）は、各自の前記基布（２１，２２）に形成された各自の前記被包囲領域（２１ａ，２２ａ）である貫通穴に各自の前記永久磁石（１４，２４）を収容すると共に、各自の前記基布（２１，２２）と各自の前記永久磁石（１４，２４）を互いの裏面に跨る形態で各自の前記硬性部材（１５，２５）に直接接着してあることを特徴とする請求項３記載の止具。
【請求項５】
前記第１基布（１２）の表面に対するその表面側への前記第１係止部群（１３）の突出長（１３Ｌ）と、前記第２基布（２２）の表面に対するその表面側への前記第２係止部材群（２３）の突出長（２３Ｌ）との合計値を、前記第１基布（１２）の表面に対するその表面側への前記第１永久磁石（１４）の突出長（１４Ｌ）と、前記第２基布（２２）の表面に対するその表面側への前記第２永久磁石（２４）の突出長（２４Ｌ）との合計値よりも、長くしてあることを特徴とする請求項３又は４記載の止具。
【請求項６】
前記止具を閉じた状態において、前記第１永久磁石（１４）と前記第２永久磁石（２４）とが直接付着していることを特徴とする請求項３、４又は５記載の止具。
【請求項７】
請求項３〜６の何れかに記載の止具（３）と、前記止具（３）の第１面状部材（１）を取り付ける第１生地（４１）と、前記止具（３）の第２面状部材（２）を取り付ける第２生地（４２）とを備え、
前記第１及び第２生地（４１，４２）は、各自が取り付けられた前記硬性部材（１５，２５）よりも柔らかいことを特徴とする被着体。
【考案の詳細な説明】
【技術分野】
【０００１】
本考案は、面ファスナーと永久磁石を用いる止具、及び止具を用いる被着体に関する。
【背景技術】
【０００２】
従来の止具としては、２枚の生地のうち一方の重ね合わせ面に面状ファスナーと永久磁石と別の面状ファスナーを順に間隔をあけて並べて接着し、他方の生地の重ね合わせ面にも面状ファスナーと強磁性板と別の面状ファスナーを同様に間隔をあけて並べて接着したものが存在する（特許文献１）。この止具は閉じた状態では、一対の生地同士が重なり合うように対向すると共に、一対の生地同士の間においては、永久磁石と強磁性板が磁力で付着すると共に、その両側に一対の面状ファスナーが絡み合っている。
【先行技術文献】
【特許文献】
【０００３】
【特許文献１】特開昭６２−６４３０６号公報
【考案の概要】
【考案が解決しようとする課題】
【０００４】
しかしながら止具を閉じた状態から開こうとして、一対の生地同士を引き離すように引っ張ると、生地が湾曲し、一対の面状ファスナー同士、並びに永久磁石と強磁性体には互いを引き離す力が生地から加わる。面状ファスナーは生地と共に湾曲することができるが、面状ファスナーに比べて硬い永久磁石及び強磁性体は生地のように湾曲することができず、その結果、生地と永久磁石、並びに生地と強磁性体の接着面に剥離力が加わることになる。そして止具の開閉操作を繰り返すうちに、永久磁石及び強磁性体が面状ファスナーから剥離することになり、止具の耐久性を悪くする原因となっていた。
【０００５】
本考案は上記実情を考慮して創作されたものであり、その目的は面ファスナーと永久磁石を用いる止具を閉じた状態から開く状態にする際に永久磁石等が剥離しづらくすることである。
【課題を解決するための手段】
【０００６】
本考案の止具は、第１面状部材と第２面状部材とから構成される。
第１面状部材は、表面及び裏面を有する第１基布と第１基布の表面から突出する第１係止部材群とを備える繊維製の第１面ファスナーと、第１面ファスナーの表面側から視て第１基布の領域の一部である第１被包囲領域であって第１係止部材群に周囲を包囲された第１被包囲領域に配置される第１永久磁石と、第１基布より硬い第１硬性部材であって第１面ファスナーの裏面側から視て第１基布及び第１永久磁石を互いの裏面に跨る形態で接着する第１硬性部材とを含むものである。
また第２面状部材は、第１係止部材群に係止可能であって、表面及び裏面を有する第２基布と第２基布の表面から突出する第２係止部材群とを備える繊維製の第２面ファスナーと、第１永久磁石に着脱可能であると共に第２面ファスナーの表面側から視て第２基布の領域の一部である第２被包囲領域であって第２係止部材群に周囲を包囲された第２被包囲領域に配置される磁性体と、第２基布より硬い第２硬性部材であって第２面ファスナー（２１）の裏面側から視て第２基布及び前記磁性体を互いの裏面に跨る形態で接着する第２硬性部材とを含むものである。
【０００７】
また第１面状部材と第２面状部材は、各自の基布の裏面の全範囲に各自の永久磁石を配置してあっても良いが、止具を閉じた状態から開く状態にし易くするには次のようにすることが望ましい。
すなわち第１面状部材と第２面状部材は、各自の基布の周縁部よりも内側の範囲にのみ各自の永久磁石を配置してあることである。
【０００８】
さらに磁性体は、第１永久磁石の磁力で引き寄せられて付着するものであれば良いが、より強固に付着するには次のものであることが望ましい。
すなわち磁性体は第２永久磁石であることである。
【０００９】
また第１硬性部材は、第１面ファスナーの裏面側から視て第１基布の裏面と第１永久磁石の裏面とに跨る形態で接着されていれば良く、例えば第１硬性部材が第１永久磁石の裏面に何か別の部材を介して間接的に接着されている場合、より詳しく言えば第１硬性部材が第１基布を介して第１永久磁石の裏面に接着されている場合であっても良い。第２硬性部材についても同様である。しかし第１基布の表面に第１永久磁石が接着されている場合には、第１永久磁石の厚みがそのまま基布の表面に対するその表面側への第１永久磁石の突出長になり、第１係止部材群の先部が、第１永久磁石の表面よりも第１基布の表面側へ突出し難くなり、第２係止部材群に係止し難くなる。第２基布の表面に第２永久磁石が接着されている場合も同様である。従って第１係止部材と第２係止部材を係止し易くするには次のようにすることが望ましい。
すなわち第１面状部材と第２面状部材は、各自の基布に形成された貫通穴に各自の永久磁石を収容すると共に、各自の基布と各自の永久磁石を互いの裏面に跨る形態で各自の硬性部材に直接接着してあることである。
【００１０】
第１基布の表面に対するその表面側への第１係止部群の突出長や第１永久磁石の突出長は、問わないし、第２基布の表面に対するその表面側への第２係止部群の突出長や第２永久磁石の突出長も問わない。但し、止具を閉じた状態で、第１係止部群と第２係止部群とを係止し易くするには次のようにすることが望ましい。
すなわち、第１基布の表面に対するその表面側への第１係止部群の突出長と、第２基布の表面に対するその表面側への第２係止部材群の突出長との合計値を、第１基布の表面に対するその表面側への第１永久磁石の突出長と、第２基布の表面に対するその表面側への第２永久磁石の突出長との合計値よりも、長くすることである。
【００１１】
また第１永久磁石や第２永久磁石の表面には互いが引き合う為の磁力を弱めるような部材を配置してあるものであっても良いが、止具としての閉じた状態の強度を高めるには次のようにすることが望ましい。
すなわち止具を閉じた状態において、第１永久磁石と第２永久磁石とが直接付着していることである。
【００１２】
またこのような止具が取り付けられた被着体は、止具における硬性部材の機能、すなわち止具を閉じた状態から開く状態にする際に基布が永久磁石の近傍で湾曲するのを阻止する機能を発揮させるには次のようなものが望ましい。
すなわち被着体は、前記した止具と、止具の第１面状部材を取り付ける第１生地と、止具の第２面状部材を取り付ける第２生地とを備え、第１及び第２生地は、各自が取り付けられた硬性部材よりも柔らかいことを特徴とするものである。
【考案の効果】
【００１３】
本考案の止具によれば、第１面状部材についてはその裏面側から視て第１面ファスナーの第１基布と第１永久磁石を互いの裏面に跨る形態で第１硬性部材を接着し、第２面状部材についてはその裏面側から視て第２面ファスナーの第２基布と磁性体を互いの裏面に跨る形態で第２硬性部材を接着してあるので、止具を閉じた状態から開く状態にする際に、各硬性部材は自身に接着された基布の湾曲を阻止するように作用し、その結果、第１永久磁石と第１基布と第１硬性部材とが接着によって一体化された状態、及び磁性体と第２基布と第２硬性部材とが接着によって一体化された状態が保たれ易くなり、耐久性が向上する。
【００１４】
また第１面状部材と第２面状部材は、各自の基布の周縁部よりも内側の範囲にのみ各自の硬性部材を配置してあれば、止具を閉じた状態から開く状態にする際に、第１面状部材と第２面状部材の基布の周縁部が湾曲しやすくなり、その結果、止具を開けやすくできる。
【００１５】
さらに磁性体を第２永久磁石とするものであれば、互いの磁力によって第１永久磁石と第２永久磁石が強固に付着し、止具としての閉じた状態の強度を高めることができる。
【００１６】
また第１面状部材と第２面状部材は、各自の前記基布に形成された各自の前記被包囲領域である貫通穴に各自の前記永久磁石を収容すると共に、各自の前記基布と各自の前記永久磁石を互いの裏面に跨る形態で各自の前記硬性部材に直接接着してあれば、各自の基布の厚み分だけ各自の基布の表面からの永久磁石の突出長を減らすことができ、第１係止部材群と第２係止部材群とが係止し易くなり、止具としての閉じた状態の強度を高めることができる。
【００１７】
さらに第１基布の表面に対するその表面側への第１係止部群の突出長と、第２基布の表面に対するその表面側への第２係止部材群の突出長との合計値を、第１基布の表面に対するその表面側への第１永久磁石の突出長と、第２基布の表面に対するその表面側への第２永久磁石の突出長との合計値よりも長くすれば、止具を閉じた場合に、第１係止部材群と第２係止部材群とが係止し易くなる。
【００１８】
また止具を閉じた状態において、第１永久磁石と第２永久磁石とが直接付着していれば、止具としての閉じた状態の強度を高めることができる。
【００１９】
さらに被着体は、前記した止具と、止具の第１面状部材を取り付ける第１生地と、止具の第２面状部材を取り付ける第２生地とを備え、第１及び第２生地は、各自が取り付けられた硬性部材よりも柔らかいものであれば、止具における硬性部材の機能を発揮させることができる。
【図面の簡単な説明】
【００２０】
【図１】本考案の第１実施形態の止具を示す斜視図である。
【図２】（ａ）（ｂ）図は、第１実施形態の止具の開いた状態、閉じた状態を示す断面図である。
【図３】第１実施形態の止具が取り付けられた被着体を示す断面図である。
【図４】（ａ）図は、第１実施形態の止具を第１面状部材の裏面側から視た状態を示し、（ｂ）（ｃ）（ｄ）図は、第１実施形態の止具の変形例を第１面状部材の裏面側から視た状態を示す説明図である。
【図５】（ａ）（ｂ）（ｃ）図は、本考案の第２実施形態の止具に用いる面状部材を示す正面図、裏面側から視た図面、表面側から視た図面である。
【図６】本考案の第３実施形態の止具を示す断面図である。
【考案を実施するための形態】
【００２１】
本考案の第１実施形態の止具３は図１又は図２に示すように、互いに面状に着脱可能な一対の面状部材１，２から構成される。また一対の面状部材１，２は、一対の面ファスナー１１，２１と、一対の永久磁石１４，２４とを備える。そして各面状部材１，２は、一対（２枚）のうちの面ファスナー１１，２１の一つ（一枚）と、一対（２個）のうちの永久磁石１４，２４の一つ（１個）の他に、面ファスナー１１，２１と永久磁石１４，２４を互いの裏面に跨る形態で接着する硬性部材１５，２５を備えるものである。一対の面状部材１，２を区別する必要がある場合には、便宜上、一方の面状部材１を第１面状部材、他方の面状部材２を第２面状部材と称する。
【００２２】
第１実施形態では、一対の面ファスナー１１，２１は互いに面的に着脱可能な（互いに面的に絡み合う状態で係止又は分離する）ものであって、雄型の面ファスナー１１と雌型の面ファスナー２１とによって構成される。
【００２３】
雄型の面ファスナー１１は繊維製であって、織成あるいは編成されており、柔らかい（変形可能な）基布１２と、基布１２の表面から突出する多数の雄型の係止部材１３ａから構成される雄型の係止部材群１３とを備える。基布１２は円形であり、当然、表面と裏面を備えている。ちなみに雄型の係止部材１３ａとは、例えば、先端が膨出したいわゆるマッシュルーム型の係止部材あるいはJ字状のフック型の係止部材などがあるが、図示の例ではＪ字状のフックであり、基布１２の表面から離れる方向に延長すると共に、その先端が基布１２の表面側に向かって折り返すように湾曲している。
【００２４】
雌型の面ファスナー２１は繊維製であって、織成あるいは編成されており、柔らかい（変形可能な）基布２２と、基布２２の表面から突出する多数の雌型の係止部材２３ａから構成される雌型の係止部材群２３とを備える。基布２２は、雄型の基布１２と同じ大きさの円形であり、当然、表面と裏面を備えている。ちなみに雌型の係止部材２３ａとは、図示の例ではフックに係止するループであり、その長さ方向の両端が基布２２の表面に接合すると共に、その長さ方向の中間部が基布２２の表面から離れた位置に配置されている。なお、雌型の面ファスナー２１においては、織成あるいは編成にかぎらず例えば不織布であっても良く、この場合、不織布の表面の繊維が雌型の係止部材群２３を構成し、表面の繊維以外の部分が基布２２を構成することになる。
【００２５】
雄型の面ファスナー１１と雌型の面ファスナー２１は各自の基布１２，２２にその厚み方向に貫通する貫通穴１２ａ，２２ａが形成されている。これら貫通穴１２ａ，２２ａは大きさを同じにすると共に、図示の例では円形となっている。そして各貫通穴１２ａ，２２ａはその全周に亘って各自の基布１２，２２によって包囲された形状であると共に、表面側から視て各自の係止部材群１３，２３に周囲を包囲された形態になっており、各自の基布１２，２２の領域の一部である被包囲領域を形成している。また被包囲領域である貫通穴１２ａ，２２ａには永久磁石１４，２４が１つ収容される。
【００２６】
一対の面ファスナー１１，２１を区別する必要がある場合には、便宜上、第１面状部材１の一部を構成する面ファスナー１１を、第１面ファスナーと称してこの実施形態では雄型の面ファスナーを割り当てるものとし、雄型の係止部材群１３を第１係止部材群と称し、雄型の面ファスナー１１の基布１２を第１基布と称し、雄型の面ファスナー１１の被包囲領域１２ａを第１被包囲領域と称する。また第２面状部材２の一部を構成する面ファスナー２１を、第２面ファスナーと称してこの実施形態では雌型の面ファスナーを割り当てるものとし、雌型の係止部材群２３を第２係止部材群と称し、雌型の面ファスナー２１の基布２２を第２基布と称し、雌型の面ファスナー２１の被包囲領域２２ａを第２被包囲領域と称する。
【００２７】
一対の永久磁石１４，２４は、互いに着脱可能及び分離可能なものである。また各永久磁石１４，２４は、金属製、特に鉄製であって、円盤形状の磁石本体１４ａ，２４ａと、磁石本体１４ａ，２４ａの側面及び裏面を覆う形態の有底筒状のヨーク１４ｂ，２４ｂとから構成され、磁石本体１４ａ，２４ａとヨーク１４ｂ，２４ｂとは磁力で付着すると共に接着剤で一体化され、磁石本体１４ａ，２４ａの表面が露出する形態になっている。また各永久磁石１４，２４は、磁石本体１４ａ，２４ａの側面及び裏面がヨーク１４ｂ，２４ｂによって覆われていることから、磁石本体１４ａ，２４ａの表面のみから磁力を発するものとなっている。一対の永久磁石１４，２４のうち一方は、磁石本体の表面をＮ極とし、他方は磁石本体の表面をＳ極とするものである。
【００２８】
各永久磁石１４，２４は円盤形状であって、貫通穴１２ａ，２２ａの円形とほぼ同じ大きさの円形であると共に、永久磁石１４，２４自身の厚みを、自身を収容する貫通穴１２ａ，２２ａが形成された基布１２，２２の厚みよりも厚くしてある。ちなみに一対の永久磁石１４，２４を区別する為に、便宜上、第１面ファスナー１１の第１基布１２の貫通穴１２ａに収容される方の永久磁石１４を第１永久磁石と称し、第２面ファスナー２１の第２基布２２の貫通穴２２ａに収容される方の永久磁石２４を第２永久磁石と称する。
【００２９】
各硬性部材１５，２５は、各自の基布１２，２２よりも硬いものであって、例えば樹脂製又は金属製、好ましくは弾性変形可能な樹脂製のシート部材である。また図示の例では貫通穴１２ａ，２２ａを完全に塞ぐことのできる大きさであって、貫通穴１２ａ，２２ａよりも直径が大きく各基布１２，２２よりも直径が小さな円形状になっている。そして貫通穴１２ａ，２２ａに収容された永久磁石１４，２４と、基布１２，２２の裏面とを、貫通穴１２ａ，２２ａを完全に塞ぐ形態で硬性部材１５，２５は接着剤によって接着されている。つまり硬性部材１５，２５の円における全周縁部分に基布１２，２２が配置され、硬性部材１５，２５の円における中央部分に永久磁石１４，２４が配置されており、永久磁石１４，２４の裏面と基布１２，２２の裏面とは硬性部材１５，２５に直接接着されている。従って硬性部材１５，２５は、永久磁石１４，２４と基布１２，２２とを互いの裏面に跨る形態、換言すれば硬性部材１５，２５の少なくとも一部が、永久磁石１４，２４と基布１２，２２に積層する形で永久磁石１４，２４の周方向の全周に亘って直接接着剤によって接着してある。なお各硬性部材１５，２５は、各自の基布１２，２２よりも大きさが小さく、各自の基布１２，２２の中央部に接着されているので、各自の基布１２，２２の周縁部は硬性部材１５，２５で覆われていない剥き出しの部分である。また硬性部材１５，２５に対して接着された永久磁石１４，２４の表面は、硬性部材１５，２５に対して接着された面状部材１，２の基布１２，２２の表面よりも表面側に突出している。ただし基布１２，２２の表面に対するその表面側への永久磁石１４，２４の突出長１４Ｌ，２４Ｌは、基布１２，２２の表面に対するその表面側への係止部材群１３,２３の突出長１３Ｌ，２３Ｌよりも短い。
【００３０】
より詳しく言えば、第１基布１２の表面に対するその表面側への第１永久磁石１４の突出長１４Ｌは、第１基布１２の表面に対するその表面側への第１係止部材群１３の突出長１３Ｌよりも短い。つまり１４Ｌ＜１３Ｌである。また第２基布２２の表面に対するその表面側への第２永久磁石２４の突出長２４Ｌは、第２基布２２の表面に対するその表面側への第２係止部材群２３の突出長２３Ｌよりも短い。つまり２４Ｌ＜２３Ｌである。従って第１基布１２の表面に対するその表面側への第１係止部材群１３の突出長１３Ｌと、第２基布２２の表面に対するその表面側への第２係止部材群２３の突出長２３Ｌとの合計値は、第１基布１２の表面に対するその表面側への第１永久磁石１４の突出長１４Ｌと、第２基布２２の表面に対するその表面側への第２永久磁石２４の突出長２４Ｌとの合計値よりも、長くなっている。つまり１３Ｌ＋２３Ｌ＜１４Ｌ＋２４Ｌの関係式が成立する。
【００３１】
上記した第１実施形態の止具３は、以下のようにして使用する。まず図２（ａ）に示すように、第１面状部材１と第２面状部材２を互いの表面を向い合せながら、所定間隔離した状態とする。そして第１面状部材１の中央部に位置する第１永久磁石１４と、第２面状部材２の中央部に位置する第２永久磁石２４とを、接近させる。そうすると図２（ｂ）に示すように、第１永久磁石１４と第２永久磁石２４とが磁力によって引き寄せられて直接付着し、「カチッ」という音を発すると共に、位置決めされる。また第１永久磁石１４と第２永久磁石２４とが付着することによって、前記した関係式により、第１係止部材群１３の先部と第２係止部材群２３の先部とが絡み合うことになる。このようにして止具３が閉じた状態になる。
【００３２】
止具３を閉じた状態から開く状態にするには、図２（ｂ）の一点鎖線で示すように、第１面状部材１と第２面状部材２を互いの外周部分から厚み方向に引き離すように力を加える。そうすると、各面状部材１，２の基布１２，２２の周縁部分が湾曲し、第１係止部材群１３の一部と第２係止部材群２３の一部とが分離する。しかし各面状部材１，２において、各自の基布１２，２２の湾曲を各自の硬性部材１５，２５が妨げるように作用し、各自の基布１２，２２と各自の硬性部材１５，２５との接着面には剥離力が加わり難くなり、それ故、各自の硬性部材１５，２５と各自の永久磁石１４，２４との接着面にも剥離力が加わり難くなる。その結果、各面状部材１，２は、各自の永久磁石１４，２４が剥離しづらくなり、耐久性が向上する。
【００３３】
第１実施形態の止具３を被着体の対向する生地に取り付けたものが被着体であり、被着体４は図３に示すように止具３で開閉する開閉部を備えるものの総称であって、例えば服や鞄等である。被着体４の開閉部は、重ね合うように対向させる一対の生地４１，４２と、一対の生地４１，４２の対向面側に取り付けられる一対の面状部材１，２により構成されている。図示の例では、各生地４１，４２に対して縫糸５で各面状部材１，２の基布１２，２２（硬性部材１５，２５よりも外側に位置する部分）が縫い付けられている。
【００３４】
各生地４１，４２は、何れも自身が取り付けられる硬性部材１５，２５よりも柔らかいものとしてある。ちなみに一対の生地４１，４２を区別する為に、便宜上、第１面状部材１が取り付けられた方の生地４１を第１生地と称し、第２面状部材２が取り付けられた方の生地４２を第２生地と称する。従って第１生地４１は、第１面状部材１の第１硬性部材１５よりも柔らかく、第２生地４２は第２面状部材２の第２硬性部材２５よりも柔らかいものとなっている。
【００３５】
前記した被着体４は、止具３を閉じた状態から開く状態にする場合に、各生地４１，４２が面状部材１，２の基布１２，２２と一緒に湾曲するが、永久磁石１４，２４の近傍においては硬性部材１５，２５によって基布１２，２２が湾曲するのを阻止し、永久磁石１４，２４に剥離力が加わるのを阻止する。
【００３６】
また第１実施形態の止具３は裏面側から視ると、第１面状部材１及び第２面状部材２の何れについても硬性部材１５，２５は、永久磁石１４，２４と基布１２，２２とを互いの裏面に跨る形態で且つ基布１２，２２の一部（貫通穴１２ａ，２２ａを形成する部分の全周）と永久磁石１４，２４の裏面の全周とを直接接着剤によって接着してある。ちなみに図４（ａ）では、裏面側から視た第１面状部材１の第１硬性部材１５の接着状態を示してある。しかし第１硬性部材１５は、第１永久磁石１４と第１基布１２とを互いの裏面に跨る形態で接着してあれば、貫通穴１２ａ（第１被包囲領域）の全周に沿って途切れなく連続する形で接着する形態に限らず、第１被包囲領域の全周のうち一部のみを接着する形態であっても良い。第２硬性部材２５も同様である。より詳しくは止具３は、例えば図４（ｂ）（ｃ）（ｄ）に示すような変形例であっても良く、各図においては裏面側から視た第１面状部材１の第１硬性部材１５の接着状態を示してある。
【００３７】
図４（ｂ）に示す止具３の変形例では、第１硬性部材１５は、第１永久磁石１４よりも小さな円の中央部から半径方向に延長する複数枚の板部１５ａを放射状に配置するもので、より詳しく言えば４枚の板部１５ａを共通の円周方向に９０°毎に配置してある。従って第１硬性部材１５は、裏面側から視て第１被包囲領域１２ａの全周に沿って９０°毎に第１永久磁石１４と第１基布１２とを跨る形態で接着する部分があり、円周方向に隣り合う２枚の板部１５ａ，１５ａの間の範囲においては、第１永久磁石１４と第１基布１２とを接着することができない形態となっている。このような構成とすることで、硬性部材１５は図４（a）の実施形態よりもより弾性変形がしやすい。すなわち、面ファスナー１１、２１の柔軟性を大きく損ねることが無いので止具３をスムーズに開く状態にすることができる。
【００３８】
図４（ｃ）に示す第１硬性部材１５は、第１永久磁石１４と同じ大きさの円形部１５ｂと、円形部１５ｂの外周全周のうち半周の範囲において半径方向外側に突出する円弧状部１５ｃとを備える形態である。従って第１硬性部材１５は、裏面側から視て第１被包囲領域１２ａの全周のうち半周部分が第１永久磁石１４と第１基布１２とを跨る形態で接着する部分であり、残りの半周部分においては、第１永久磁石１４と第１基布１２とを接着することができない形態となっている。
【００３９】
図４（ａ）（ｂ）（ｃ）に示す第１硬性部材１５は、何れも第１硬性部材１５とは別の接着剤により第１基布１２と第１永久磁石１４に接着したものであるが、別の手法により第１硬性部材１５を第１基布１２と第１永久磁石１４に接着することもできる。図４（ｄ）に示す第１硬性部材１５は、本来の用途では接着剤であり、例えば接着剤を第１基布１２の裏面と第１永久磁石１４の裏面とに跨る形態で塗り、硬化させたものであり、例えば熱硬化性樹脂の接着剤が一例として挙げられる。接着剤として塗るので、その塗った形態が第１硬性部材１５の形態となり、それ故、図４（ｄ）に示す第１硬性部材１５は、円形のような一般的な形態ではなく、第１永久磁石１４よりも大きな形状ながらもその外周が歪な形態となっている。
【００４０】
本考案の第２実施形態の止具３は、面状部材１，２を構成する永久磁石の個数及び硬性部材１５，２５の形状において、第１実施形態の止具３と相違する。以下では、その相違が第１面状部材１に形成されたことにして説明する。図５は、本考案の第２実施形態の止具３を構成する面状部材１，２のうち第１面状部材のみを示すもので、しかも第１面ファスナー１の第１基布１２のみを示し、第１係止部材群を省略してある。
【００４１】
第１面状部材１は、複数の貫通穴（図示せず）が形成された第１基布１２と、貫通穴の個数に対応する複数の第１永久磁石１４，１４と、各貫通穴に収容された第１永久磁石１４の全部と第１基布１２とを互いの裏面からまとめて接着する第１硬性部材１５とから構成される。
【００４２】
第１基布１２は、長方形状である。また第１硬性部材１５は、シート状であると共に網目状に形成されている。なお第１硬性部材１５の外形は、第１基布１２よりも縦幅及び横幅が短い長方形状である。
【００４３】
本考案の第３実施形態の止具３は図６に示すように、各面状部材１，２を構成する係止部材群１３,２３、並びに硬性部材１５，２５と基布１２，２２に対する永久磁石１４，２４の取り付け方において、第１実施形態の止具３と相違する。より詳しくは、各係止部材群１３,２３は、雄型の係止部材１３ａ（フック）と雌型の係止部材２３ａ（ループ）を混在する形態のものとしてある。また基布１２，２２は、第１実施形態のような貫通穴が形成されておらず、その代わりに被包囲領域１２ａ，２２ａとして基布１２，２２の一部が存在する（係止部材群１３,２３が存在しない領域）、すなわち基布１２，２２の一部により永久磁石１４,２４の接着面を形成してある。そしてその接着面に永久磁石１４，２４の裏面を接着し、基布１２，２２の裏面であって接着面の反対側に相当する部分には硬性部材１５，２５が接着されている。つまり第３実施形態では、永久磁石１４，２４の裏面に基布１２，２２の一部を介して硬性部材１５，２５が間接的に接着された形態になっている。ただし裏面側から視て基布１２，２２及び永久磁石１４，２４を互いの裏面に跨る形態で接着してあることに変わりはない。
【００４４】
本考案は上記実施形態及びその変形例に限定されるものではない。例えば基布１２，２２や硬性部材１５，２５の形状は、どのような形状であっても良い。また被着体４は、生地４１，４２と面状部材１，２とを一体化する為に縫製以外の方法、例えば接着を用いても良い。
【００４５】
なお、第１永久磁石１４に付着する物体は、前記実施形態の止具３では、第２永久磁石２４（永久磁石）を用いたが、これに限らず、本考案の止具３では、磁性体２４であれば良い。磁性体２４とは、永久磁石（自ら他の物体を引き寄せるような能動的な磁力を発生するもの）だけでなく、自らは他の物体を引き寄せるような能動的な磁力を発生せずに、他の永久磁石の磁力に引き寄せられる物体（例えば鉄、コバルト、ニッケル等、及びこれらの合金）を含むものである。磁性体２４が前者（永久磁石）ではなく、後者の物体の場合には、第１永久磁石１４の円盤形状と同じ円盤形状であることが好ましい。
【符号の説明】
【００４６】
１  第１面状部材（面状部材）
１１  第１面ファスナー（面ファスナー）
１２  第１基布（基布）
１２ａ  第１被包囲領域（貫通穴、基布の一部）
１３  第１係止部材群（係止部材群）
１３ａ  第１係止部材（係止部材）
１３Ｌ  第１係止部材群の突出長
１４  第１永久磁石（永久磁石）
１４ａ  磁石本体
１４ｂ  ヨーク
１４Ｌ  第１永久磁石の突出長
１５  第１硬性部材（硬性部材）
１５ａ  板部
１５ｂ  円形部
１５ｃ  円弧状部
２  第２面状部材（面状部材）
２１  第２面ファスナー（面ファスナー）
２２  第２基布（基布）
２２ａ  第２被包囲領域（貫通穴、基布の一部）
２３  第２係止部材群（係止部材群）
２３ａ  第２係止部材（係止部材）
２３Ｌ  第２係止部材群の突出長
２４  第２永久磁石（磁性体）
２４ａ  磁石本体
２４ｂ  ヨーク
２４Ｌ  第２永久磁石の突出長
２５  第２硬性部材（硬性部材）
３  止具
４  被着体
４１  第１生地（生地）
４２  第２生地（生地）
５  縫糸
【図１】
0003191214.tif 000003
【図２】
0003191214.tif 000004
【図３】
0003191214.tif 000005
【図４】
0003191214.tif 000006
【図５】
0003191214.tif 000007
【図６】
0003191214.tif 000008